(57)【要約】【課題】複数の付加情報が任意の位置に貼付されていくことで形成された画像を呼び出す場合の操作性を向上させる。【解決手段】各出席者が、浮んだアイディアの内容を表すメモを携帯端末上で入力・作成し、このメモを表示装置の表示画面に貼付表示させることで、アイディアを共有しながら進められた過去の会議において、表示画面上に形成(作成)されたメモ付き文書を再表示させる場合、表示対象のメモ付き文書に貼付したメモを携帯端末上に表示させて再表示を指示すると(210)、携帯端末から文書表示管理装置へメモIDが送信され(214)、文書表示管理装置はメモIDを基に表示対象のメモ付き文書の情報を検索し(216)、必要な情報を各サーバから取得し(218〜226)、表示対象のメモ付き文書の画像を生成・表示させる(228)。【選択図】図６
2010205137.tif 000002
【特許請求の範囲】
【請求項１】
被貼付領域内の貼付位置が各々指定されて貼付が指示された複数の付加情報を、指定された貼付位置を表す位置情報と各々対応付け、互いに関連付けて記憶手段に各々登録する登録手段と、
出力対象の画像を特定する情報として指定された特定の付加情報、前記特定の付加情報と関連付けられた付加情報、及び、個々の付加情報に対応する位置情報を前記記憶手段から各々読み出す読出手段と、
前記読出手段によって前記記憶手段から読み出された個々の付加情報を、対応する前記位置情報が表す貼付位置に各々貼付した画像を生成し、生成した画像を出力する出力手段と、
を含む画像管理装置。
【請求項２】
前記被貼付領域は表示手段の表示面であり、前記登録手段は、前記表示手段の表示面に表示されている台紙画像に対して行われた前記貼付位置の指定及び前記付加情報の貼付指示に応じて、前記複数の付加情報を各々登録するものであり、さらに前記台紙画像の情報も前記複数の付加情報と関連付けて前記記憶手段に登録し、
前記読出手段は、前記特定の付加情報と関連付けられた台紙画像の情報も前記記憶手段から読み出し、
前記出力手段は、前記記憶手段から読み出された個々の付加情報を、前記記憶手段から情報が読み出された前記台紙画像のうち、対応する前記位置情報が表す貼付位置に各々貼付した画像を生成する請求項１記載の画像管理装置。
【請求項３】
前記出力手段は、前記生成した画像の出力として前記表示手段への表示を行う請求項１又は請求項２記載の画像管理装置。
【請求項４】
前記登録手段は、貼付が指示された前記付加情報及び指定された貼付位置を表す位置情報を、前記付加情報に付与された識別情報と共に前記記憶手段に登録し、
前記読出手段は、前記出力対象の画像を特定する情報として指定された特定の付加情報に設定された識別情報をキーにして前記記憶手段に登録されている前記特定の付加情報を検索する請求項１〜請求項３の何れか１項記載の画像管理装置。
【請求項５】
前記被貼付領域は表示手段の表示面であり、
前記貼付位置の指定及び付加情報の貼付の指示に応じて、前記表示手段の表示面のうち前記指定された貼付位置に前記付加情報を表示させる表示制御手段を更に備えた請求項１〜請求項４の何れか１記載の画像管理装置。
【請求項６】
携帯端末から情報を受信する受信手段と、
前記被貼付領域内の任意の位置に接近又は接触させられた前記携帯端末の該接近又は接触された位置を検出する位置検出手段と、
を更に備え、
前記登録手段は、前記位置検出手段によって検出された前記携帯端末が接近又は接触された位置の情報と前記受信手段によって前記携帯端末から受信された付加情報を対応する前記位置情報及び前記付加情報として関連付けて前記記憶手段に登録する請求項１〜請求項５の何れか１項記載の画像管理装置。
【請求項７】
前記受信手段は、前記携帯端末を前記被貼付領域内の任意の位置に接近又は接触させる操作が行われる前に前記携帯端末から予め送信される前記付加情報を受信すると共に、前記携帯端末を前記被貼付領域内の任意の位置に接近又は接触させる操作が行われた際に前記携帯端末から送信された、前記位置に貼付けるべき付加情報を特定するための情報を受信し、
前記登録手段は、前記受信手段が前記付加情報を受信した場合に前記付加情報を前記記憶手段に登録し、前記受信手段が付加情報を特定するための情報を受信した場合に、前記記憶手段に登録されている付加情報のうち前記受信された情報によって特定される付加情報に対し、前記位置検出手段によって検出された位置を表す前記位置情報を対応付けて前記記憶手段に登録させると共に、前記記憶手段に既に登録されている他の付加情報と関連付ける処理を行う請求項６記載の画像管理装置。
【請求項８】
前記付加情報は、携帯端末に設けられた入力キーが操作されることで前記携帯端末上で生成されたテキスト情報、或いは、携帯端末に設けられたタッチパネル上で手書き入力操作が行われることで前記携帯端末上で生成された画像情報である請求項１〜請求項７の何れか１項記載の画像管理装置。
【請求項９】
記憶手段を読み書き可能なコンピュータを、
被貼付領域内の貼付位置が各々指定されて貼付が指示された複数の付加情報を、指定された貼付位置を表す位置情報と各々対応付け、互いに関連付けて記憶手段に各々登録する登録手段、
出力対象の画像を特定する情報として指定された特定の付加情報、前記特定の付加情報と関連付けられた付加情報、及び、個々の付加情報に対応する位置情報を前記記憶手段から各々読み出す読出手段、
及び、前記読出手段によって前記記憶手段から読み出された個々の付加情報を、対応する前記位置情報が表す貼付位置に各々貼付した画像を生成し、生成した画像を出力する出力手段
として機能させるための画像管理プログラム。
【発明の詳細な説明】
【技術分野】
【０００１】
本発明は画像管理装置及び画像管理プログラムに関する。
【背景技術】
【０００２】
複数人でアイディアを出し合いながら共同作業で検討を進める場合、各個人が付箋紙や紙カードにアイディアを記入しておき、議論の際に、アイディアを記入した付箋紙や紙カードをホワイトボード等の上に配置することで、アイディアを共有しながら内容をまとめていく手法が採られることが多い。
【０００３】
上記に関連して特許文献１には、会議に出席する利用者が共有するディスプレイをテーブル装置に設け、各利用者がペンコンピュータを用いて入力された情報がテーブル装置へ転送するよう指示されると、その情報をテーブル装置へ転送してディスプレイに表示させる技術が開示されている。
【０００４】
また、特許文献２には、表示装置の画像表示部に端末装置が接触しているか否かを検知し、接触している場合には選択された貼付画像を端末装置から表示装置へ送信し、表示装置は、画像表示部への端末装置の接触状態に基づいて、受信した貼付画像の表示レイアウトを制御する技術が開示されている。
【先行技術文献】
【特許文献】
【０００５】
【特許文献１】特開２０００−２３６３２９号公報
【特許文献２】特開２００７−３１６９２５号公報
【発明の概要】
【発明が解決しようとする課題】
【０００６】
本発明は、複数の付加情報が任意の位置に貼付されていくことで形成された画像を呼び出す場合の操作性を向上させることができる画像管理装置及び画像管理プログラムを得ることが目的である。
【課題を解決するための手段】
【０００７】
上記目的を達成するために請求項１記載の発明に係る画像管理装置は、被貼付領域内の貼付位置が各々指定されて貼付が指示された複数の付加情報を、指定された貼付位置を表す位置情報と各々対応付け、互いに関連付けて記憶手段に各々登録する登録手段と、出力対象の画像を特定する情報として指定された特定の付加情報、前記特定の付加情報と関連付けられた付加情報、及び、個々の付加情報に対応する位置情報を前記記憶手段から各々読み出す読出手段と、前記読出手段によって前記記憶手段から読み出された個々の付加情報を、対応する前記位置情報が表す貼付位置に各々貼付した画像を生成し、生成した画像を出力する出力手段と、を含んで構成されている。
【０００８】
請求項２記載の発明は、請求項１記載の発明において、前記被貼付領域は表示手段の表示面であり、前記登録手段は、前記表示手段の表示面に表示されている台紙画像に対して行われた前記貼付位置の指定及び前記付加情報の貼付指示に応じて、前記複数の付加情報を各々登録するものであり、さらに前記台紙画像の情報も前記複数の付加情報と関連付けて前記記憶手段に登録し、前記読出手段は、前記特定の付加情報と関連付けられた台紙画像の情報も前記記憶手段から読み出し、前記出力手段は、前記記憶手段から読み出された個々の付加情報を、前記記憶手段から情報が読み出された前記台紙画像のうち、対応する前記位置情報が表す貼付位置に各々貼付した画像を生成する。
【０００９】
請求項３記載の発明は、請求項１又は請求項２記載の発明において、前記出力手段は、前記生成した画像の出力として前記表示手段への表示を行う。
【００１０】
請求項４記載の発明は、請求項１〜請求項３の何れかに記載の発明において、前記登録手段は、貼付が指示された前記付加情報及び指定された貼付位置を表す位置情報を、前記付加情報に付与された識別情報と共に前記記憶手段に登録し、前記読出手段は、前記出力対象の画像を特定する情報として指定された特定の付加情報に設定された識別情報をキーにして前記記憶手段に登録されている前記特定の付加情報を検索する。
【００１１】
請求項５記載の発明は、請求項１〜請求項４の何れかに記載の発明において、前記被貼付領域は表示手段の表示面であり、前記貼付位置の指定及び付加情報の貼付の指示に応じて、前記表示手段の表示面のうち前記指定された貼付位置に前記付加情報を表示させる表示制御手段を更に備えている。
【００１２】
請求項６記載の発明は、請求項１〜請求項５の何れかに記載の発明において、携帯端末から情報を受信する受信手段と、前記被貼付領域内の任意の位置に接近又は接触させられた前記携帯端末の該接近又は接触された位置を検出する位置検出手段と、を更に備え、前記登録手段は、前記位置検出手段によって検出された前記携帯端末が接近又は接触された位置の情報と前記受信手段によって前記携帯端末から受信された付加情報を対応する前記位置情報及び前記付加情報として関連付けて前記記憶手段に登録する。
【００１３】
請求項７記載の発明は、請求項６記載の発明において、前記受信手段は、前記携帯端末を前記被貼付領域内の任意の位置に接近又は接触させる操作が行われる前に前記携帯端末から予め送信される前記付加情報を受信すると共に、前記携帯端末を前記被貼付領域内の任意の位置に接近又は接触させる操作が行われた際に前記携帯端末から送信された、前記位置に貼付けるべき付加情報を特定するための情報を受信し、前記登録手段は、前記受信手段が前記付加情報を受信した場合に前記付加情報を前記記憶手段に登録し、前記受信手段が付加情報を特定するための情報を受信した場合に、前記記憶手段に登録されている付加情報のうち前記受信された情報によって特定される付加情報に対し、前記位置検出手段によって検出された位置を表す前記位置情報を対応付けて前記記憶手段に登録させると共に、前記記憶手段に既に登録されている他の付加情報と関連付ける処理を行う。
【００１４】
請求項８記載の発明は、請求項１〜請求項７の何れかに記載の発明において、前記付加情報は、携帯端末に設けられた入力キーが操作されることで前記携帯端末上で生成されたテキスト情報、或いは、携帯端末に設けられたタッチパネル上で手書き入力操作が行われることで前記携帯端末上で生成された画像情報である。
【００１５】
請求項９記載の発明に係る画像管理プログラムは、記憶手段を読み書き可能なコンピュータを、被貼付領域内の貼付位置が各々指定されて貼付が指示された複数の付加情報を、指定された貼付位置を表す位置情報と各々対応付け、互いに関連付けて記憶手段に各々登録する登録手段、出力対象の画像を特定する情報として指定された特定の付加情報、前記特定の付加情報と関連付けられた付加情報、及び、個々の付加情報に対応する位置情報を前記記憶手段から各々読み出す読出手段、及び、前記読出手段によって前記記憶手段から読み出された個々の付加情報を、対応する前記位置情報が表す貼付位置に各々貼付した画像を生成し、生成した画像を出力する出力手段として機能させる。
【発明の効果】
【００１６】
請求項１,２,８,９記載の発明は、本構成を有しない場合と比較して、複数の付加情報が任意の位置に貼付されていくことで形成された画像を呼び出す場合の操作性を向上させることができる、という効果を有する。
【００１７】
請求項３記載の発明は、本構成を有しない場合と比較して、出力された画像を複数人が同時に確認することが可能となる、という効果を有する。
【００１８】
請求項４記載の発明は、本構成を有しない場合と比較して、読出手段による付加情報の検索に要する時間を短縮することができる、という効果を有する。
【００１９】
請求項５記載の発明は、本構成を有しない場合と比較して、貼付を指示した複数の付加情報が、指定した貼付位置に各々貼付された状態を視覚的に確認することが可能となる、という効果を有する。
【００２０】
請求項６記載の発明は、本構成を有しない場合と比較して、貼付位置を指定するための操作が簡単になる、という効果を有する。
【００２１】
請求項７記載の発明は、本構成を有しない場合と比較して、携帯端末を被貼付領域内の任意の位置に接近又は接触させる操作が行われた際の処理を短時間で完了させることができる、という効果を有する。
【図面の簡単な説明】
【００２２】
【図１】本実施形態に係る会議支援システムの概略構成を示すブロック図である。
【図２】文書表示管理装置による文書表示管理処理の内容を示すフローチャートである。
【図３】メモ付き文書作成時の処理シーケンスを示すシーケンス図である。
【図４】携帯端末の表示部に表示される画面のイメージ図である。
【図５】メモの貼付を指示する貼付操作を説明するための概略図である。
【図６】メモ付き文書再表示時の処理シーケンスを示すシーケンス図である。
【図７】関連メモダウンロード時の処理シーケンスを示すシーケンス図である。
【発明を実施するための形態】
【００２３】
以下、図面を参照して本発明の実施形態の一例を詳細に説明する。図１には本実施形態に係る会議支援システム１０と、会議支援システム１０を利用する個々の利用者が各々所持している携帯端末４０が各々示されている。会議支援システム１０は文書保存サーバ１２、メモ保存サーバ１４、外部アクセスポイント１６及び文書表示管理装置１８を備え、これらがＬＡＮ等のネットワーク２０を介して互いに接続されて構成されている。文書保存サーバ１２、メモ保存サーバ１４及び外部アクセスポイント１６は各々サーバ・コンピュータから成り、ＨＤＤ(Hard Disk Drive)等から成る記憶部１２Ａ,１４Ａ,１６Ａを各々備えている。なお、文書保存サーバ１２の記憶部１２Ａには任意の文書(但しメモが貼付されたメモ付き文書を除く)の情報が記憶され、メモ保存サーバ１４の記憶部１４Ａにはメモの情報が記憶される。また、外部アクセスポイント１６はインターネット８４に接続されており、外部アクセスポイント１６の記憶部１６Ａには、インターネット８４経由で外部アクセスポイント１６が受信した情報が一時記憶される。
【００２４】
文書表示管理装置１８は、例えばＬＣＤやプラズマディスプレイ等から成り会議室の壁等に設置され、表示画面に表示された画像を会議に出席した個々の利用者が各々視認可能なように表示画面が大画面とされた表示装置２２を備えている。また、表示装置２２には位置検出部２４が取付けられている。本実施形態では、表示装置２２の表示画面に表示されている画像中の所望の位置へのメモの貼付を利用者が所望している場合、当該利用者が所持している携帯端末４０を、表示装置２２の表示画面のうちメモを貼付すべき位置に接触させる操作(貼付指示操作)が行われる(詳細は後述)。位置検出部２４は、例えば表示装置２２の表示画面に配設されたタッチパネル等から成り、上記の貼付指示操作が行われた場合に携帯端末４０が接触された位置(貼付指示位置)のＸＹ座標値を検出する。なお、位置検出部２４による位置検出の方式は抵抗膜方式や表面弾性波方式等、公知の何れの方式であってもよい。位置検出部２４は請求項６に記載の位置検出手段に対応している。
【００２５】
また、表示装置２２及び位置検出部２４は制御部２６に接続されている。制御部２６はＣＰＵ２６Ａ、メモリ２６Ｂ、ＨＤＤ(Hard Disk Drive)やフラッシュメモリ等から成り記憶内容を書替可能な不揮発性の記憶部２６Ｃを備えており、通信Ｉ／Ｆ部２８を介してネットワーク２０に接続されている。また、制御部２６の記憶部２６Ｃには、後述する文書表示管理処理を行うための文書表示管理プログラムが予めインストールされている。この文書表示管理プログラムは本発明に係る画像管理プログラムに対応しており、文書表示管理装置１８は、制御部２６のＣＰＵ２６Ａが文書表示管理プログラムを実行することで、文書保存サーバ１２、メモ保存サーバ１４及び外部アクセスポイント１６と共に、本発明に係る画像管理装置として機能する。
【００２６】
また制御部２６には、携帯端末４０(に内蔵されたＩＣチップ４２(後述))と近距離の無線通信を行うためのＩＣチップヘッド３０が接続されている。ＩＣチップヘッド３０は、アンテナ３２、ＲＦ回路３４及び変換回路３６を備えている。ＲＦ回路３４は、アンテナ３２により電磁波が受信された場合には、アンテナ３２から出力される信号を増幅して変換回路３６へ出力し、変換回路３６から信号が入力された場合には、該信号を増幅してアンテナ３２へ供給することで、入力された信号を電磁波としてアンテナから放射させる。また変換回路３６は、ＲＦ回路３４から入力された信号を復調及び復号し、復調及び復号によって得られたデジタルデータを制御部２６へ出力すると共に、制御部２６から入力されたデジタルデータを符号化した信号で搬送波信号を変調し、変調後の信号をＲＦ回路３４へ出力する。なお、ＩＣチップヘッド３０は請求項６等に記載の受信手段に対応している。
【００２７】
一方、携帯端末４０はＩＣチップ４２を内蔵しており、このＩＣチップ４２はアンテナ４４と一体化され、電源回路４６、ＲＦ回路４８、変換回路５０、ＣＰＵ５２及びメモリ５４を含んで構成されている。電源回路４６はアンテナ４４と共に共振回路を構成しており、アンテナ４４により特定周波数の電磁波が受信されると相互誘導作用によって図示しないコンデンサに電力を蓄積し、蓄積した電力を整流してＣＰＵ５２や他の回路に供給するように構成されている。ＣＰＵ５２はＩＣチップ４２の各部の動作を制御する。またＲＦ回路４８は、アンテナ４４により電磁波が受信された場合には、アンテナ４４から出力される信号を増幅して変換回路５０へ出力し、変換回路５０から信号が入力された場合には、該信号を増幅してアンテナ４４へ供給する。変換回路５０は、ＲＦ回路４８から入力された信号を復調及び復号し、復調及び復号によって得られたデジタルデータをＣＰＵ５２へ出力すると共に、ＣＰＵ５２から入力されたデジタルデータを符号化した信号で搬送波信号を変調し、変調後の信号をＲＦ回路４８へ出力する。
【００２８】
なお、文書表示管理装置１８のＩＣチップヘッド３０は表示装置２２の表示画面近傍に配設されており、携帯端末４０のケーシングが表示装置２２の表示画面(本発明に係る被貼付領域)と接触されるか、表示装置２２の表示画面と非常に接近した位置へ移動されると、文書表示管理装置１８のＩＣチップヘッド３０と携帯端末４０はＩＣチップ４２が通信可能な状態となる。
【００２９】
続いて、携帯端末４０本体について説明する。携帯端末４０に内蔵されているＩＣチップ４２は、ＣＰＵやメモリを含んで構成された制御部５６に接続されており、制御部５６と通信可能とされている。制御部５６には、記憶内容を書替可能な不揮発性のメモリ（例えばフラッシュメモリ）から成る記憶部５８が接続されており、この記憶部５８には、制御部５６のＣＰＵで実行可能な各種のプログラムが予め記憶され、後述するメモの情報も記憶される。また、携帯端末４０の前面には、タッチパネル付き表示部６０と、電源スイッチやテンキー等を含んで構成された操作部６２が各々設けられており、タッチパネル付き表示部６０及び操作部６２は制御部５６に接続されている。なお、タッチパネル付き表示部６０における位置検出の方式についても、位置検出部２４と同様に抵抗膜方式や表面弾性波方式等、公知の何れの方式であってもよい。また携帯端末４０には、携帯端末４０のケーシングの傾きを検出するジャイロセンサ６４も内蔵されており、このジャイロセンサ６４も制御部５６に接続されている。
【００３０】
また携帯端末４０は、無線通信網８０を介しての通話又は通信を可能とする携帯電話機としての機能を備えている。図示は省略するが、無線通信網８０は多数台の交換機が通信回線を介して互いに接続されていると共に、互いに異なる場所に設置され携帯端末４０との間の無線通信を司る多数の基地局が、多数の交換機の何れかに各々接続されて構成されている。一方、制御部５６には、増幅器６６を介してスピーカ６８が接続されていると共に、増幅器７０を介してマイクロフォン７２が接続されており、更に、無線通信部７４を介してアンテナ７６が接続されている。無線通信部７４は、無線通信網８０を介しての無線通信を司る部分であり、制御部５６の制御下で、アンテナ７６を介し、携帯電話機用に予め割り当てられた所定の周波数帯域の電磁波により、無線通信網８０の特定の基地局と無線通信を行う機能を有している。
【００３１】
また、無線通信網８０はインターネット８４と相互接続されている。携帯端末４０は、インターネット８４に接続されたコンピュータと携帯端末４０との情報の送受信を行うための機能（以下、インターネットアクセス機能と称する）を有し、無線通信網８０には、インターネット８４に接続されたコンピュータとインターネットアクセス機能を有する携帯端末４０との情報の送受信（例えばウェブページの閲覧や電子メールの送受信、ファイル転送等）を司るサーバ８２が設けられている。なお、本実施形態における携帯端末としては、各種の付加機能が搭載された携帯電話機が好適であるが、ＰＤＡ(Personal Digital Assistants)等の他のデバイスであってもよい。
【００３２】
次に本実施形態の作用として、文書表示管理装置１８の制御部２６で実行される文書表示管理処理の内容を示す図２も参照しながら、まず表示装置２２が設置された会議室において、メモ付き文書を作成(形成)しながら議論し、共同作業で検討を進める会議が行われる際の処理シーケンスについて、図３を参照して説明する。
【００３３】
上記会議において、議論の叩き台となる文書(会議中に表示装置２２に内容を表示すべき文書)が存在している等の場合、会議の開始に先立ち、会議に出席する何れかの利用者により、文書保存サーバ１２の記憶部１２Ａに記憶されている文書の中から表示対象の文書が選択され、表示装置２２への前記文書の表示が文書表示管理装置１８へ指示される。なお、この指示は、ネットワーク２０に接続された図示しないＰＣ等を介して行うようにしてもよいし、会議に出席する何れかの利用者が所持している携帯端末４０を操作することで行うことも可能である。
【００３４】
文書表示管理装置１８における文書表示管理処理では、ステップ１００において、表示対象の文書が選択されて表示装置２２への表示が指示されたか否か判定する。この判定が否定された場合はステップ１０２へ移行し、表示装置２２に表示している文書に対するメモの貼付が指示されたか否か判定する。この判定が否定された場合はステップ１０４へ移行し、表示装置２２に表示しているメモ付き文書の保存が指示されたか否か判定する。この判定も否定された場合はステップ１０６へ移行し、文書保存サーバ１２の記憶部１２Ａに保存されているメモ付き文書の表示装置２２への再表示が指示されたか否か判定する。この判定も否定された場合はステップ１０８へ移行し、特定のメモに関連するメモのダウンロードが要求されたか否か判定する。この判定も否定された場合はステップ１００に戻り、上記何れかの判定が肯定される迄ステップ１００〜ステップ１０８を繰り返す。
【００３５】
このため、表示対象の文書が選択されて表示装置２２への表示が指示された場合、図２のステップ１００の判定が肯定されてステップ１１０へ移行し、表示装置２２への表示が指示された文書の情報を文書保存サーバ１２へ要求する(図３のステップ１６０も参照)。これにより、文書保存サーバ１２では、要求された文書の情報を記憶部１２Ａに記憶されている文書の情報の中から検索し、当該検索によって抽出された文書の情報を文書表示管理装置１８へ送信する(図３のステップ１６２も参照)。要求した文書の情報を文書保存サーバ１２から受信するとステップ１１２へ移行し、文書保存サーバ１２から受信した情報に基づき、表示対象として選択された文書(メモが未貼付の文書)の内容を表す画像を表示装置２２の表示面に表示させる(図３のステップ１６４も参照)。なお、以下では、上記処理で表示装置２２に内容が表示された文書を台紙文書と称し、当該台紙文書の内容を表す画像(ステップ１１２で表示装置２２に表示した画像)を台紙画像と称する)。
【００３６】
また、文書保存サーバ１２の記憶部１２Ａに情報が記憶されている個々の文書には、個々の文書を識別するための文書ＩＤが各々付与されており、文書保存サーバ１２が台紙文書の情報を送信する際には台紙文書の文書ＩＤも同時に送信される。文書表示管理装置１８のメモリ２６Ｂ上にはメモ付き文書情報記憶領域が設けられており、次のステップ１１４では、文書保存サーバ１２から受信した台紙文書の文書ＩＤをメモ付き文書情報記憶領域に記憶させ、ステップ１００に戻る。なお、本実施形態は会議中に台紙画像を表示装置２２に表示させることに限られるものではなく、表示装置２２への台紙文書の表示が指示されることなく会議が開始され、表示装置２２に台紙画像が表示されていない状態で後述するメモの貼付が行われることもある。この場合、メモ付き文書情報記憶領域には台紙文書の文書ＩＤは記憶されない。また、台紙画像は空白の画像、或いは貼付範囲を示す枠等のみが表示された画像等であってもよい。
【００３７】
会議が開始されると、会議に出席した各利用者による議論等が始まるが、この議論等を進めていく中で何らかのアイディアが浮んだ利用者は、まず、自身が所持している携帯端末４０を操作し、浮んだアイディアをメモとして入力するメモ入力操作を行う(図３のステップ１６６も参照)。このメモ入力操作は、携帯端末４０のタッチパネル付き表示部６０に、例えば図４(Ａ)に示すようなメモ手書き入力画面が表示されている状態で、浮んだアイディアの内容を表す文字列や図形等をペン９０によって表示画面に手書きで記入していく操作を行うことによって為される。
【００３８】
利用者によって上記のメモ入力操作が行われると、携帯端末４０の制御部５６では、タッチパネル付き表示部６０の表示画面のうちペン９０の先端によって押圧された部分のＸＹ座標(平面座標)を検知・記憶すると共に、検知したＸＹ座標に基づきタッチパネル付き表示部６０の表示画面のうちペン９０の先端によって押圧された部分にドットを表示させることを繰り返すことで、利用者によるメモ入力操作によって手書きで入力されたメモをタッチパネル付き表示部６０の表示画面の表示させる入力メモ表示処理を行う(図３のステップ１６８も参照)。
【００３９】
図４(Ａ)に示すように、メモ手書き入力画面には、メモ入力操作によって入力したメモの保存を指示するためのボタン９１が設けられており、メモの入力が完了した利用者は、ペン９０によってボタン９１を選択する等の操作を行うことで、メモ入力操作によって入力したメモの保存を指示する(図３のステップ１７０も参照)。携帯端末４０の制御部５６は、メモの保存が利用者から指示されると、タッチパネル付き表示部６０の表示画面に表示されている保存対象のメモを識別するための情報(メモＩＤ)をハッシュ関数等を利用して生成する(図３のステップ１７２も参照)。また、タッチパネル付き表示部６０の表示画面に表示されている保存対象のメモを表すメモ画像情報を生成し、生成したメモ画像情報を先に生成したメモＩＤと対応付けて記憶部５８に保存すると共に、このメモ画像情報及びメモＩＤを、無線通信部７４を介してメモ保存サーバ１４へ送信する(図３のステップ１７４も参照)。
【００４０】
携帯端末４０の無線通信部７４から送信された情報は、無線通信網８０、インターネット８４を経由して外部アクセスポイント１６で一旦受信され、外部アクセスポイント１６の記憶部１６Ａに一旦記憶される。一方、メモ保存サーバ１４は、自サーバ宛の情報が受信されていないかを一定周期で外部アクセスポイント１６に問い合わせており、この問い合わせを行った際に、携帯端末４０から送信されたメモ保存サーバ１４宛の情報が外部アクセスポイント１６の記憶部１６Ａに記憶されていれば、当該情報が外部アクセスポイント１６からメモ保存サーバ１４へ転送される。そしてメモ保存サーバ１４は、外部アクセスポイント１６から転送された情報(メモ画像情報、メモＩＤ)に、保存日時として現在の日時を表す情報と、送信元の携帯端末４０を識別する情報から判別できるメモの作成者を表す情報を付加し、記憶部１４Ａに新たなメモ情報として登録する(図３のステップ１７６も参照)。
【００４１】
上記のようにしてメモ入力操作によって入力したメモの保存が完了すると、メモを作成した利用者は、作成したメモを表示装置２２の表示画面のうちの所望の位置に貼付することを指示する操作を行う。この操作は、タッチパネル付き表示部６０に貼付対象のメモが表示されている状態(図４(Ｂ)参照)で、タッチパネル付き表示部６０に表示されている、表示中のメモに対する処理メニューの表示を指示するためのボタン９２をペン９０によって選択し、この操作に伴ってタッチパネル付き表示部６０に表示される複数の選択肢(図４(Ｃ)参照)のうち「画面への貼り付け」をペン９０によって選択する(図３のステップ１７８も参照)操作と、続いて、携帯端末４０のケーシングを表示装置２２の表示画面のうちの所望の貼付位置に接触させる操作(図３のステップ１８２も参照)から成る。
【００４２】
なお、貼付対象のメモは入力直後のメモに限られるものではなく、過去に入力し携帯端末４０の記憶部５８にメモ画像情報として保存されているメモであってもよい。この場合は、記憶部５８にメモ画像情報として保存されているメモをタッチパネル付き表示部６０に表示させ、表示されたメモが貼付対象でない場合は表示するメモの切り替えを指示し、貼付対象のメモがタッチパネル付き表示部６０に表示された状態とした後に、上記一連の操作を行うことで、過去に入力したメモの貼付を指示することができる。
【００４３】
利用者によって「画面への貼り付け」が選択されると、携帯端末４０の制御部５６は、タッチパネル付き表示部６０に表示されているメモ(貼付対象のメモ)のメモ画像情報と対応付けて記憶されているメモＩＤを記憶部５８から読み出す(図３のステップ１８０も参照)と共に、ジャイロセンサ６４によって検出された携帯端末４０のケーシングの傾き(傾き情報)をジャイロセンサ６４から取得し、メモＩＤ、傾き情報及びメモの貼付を指示する情報をＩＣチップ４２のメモリ５４に送信対象情報として記憶させた後に、ジャイロセンサ６４から傾き情報を取得し、メモリ５４に送信対象情報として記憶されている傾き情報を取得した傾き情報で上書きすることを繰り返す。
【００４４】
一方、文書表示管理装置１８では、携帯端末４０のケーシングを表示装置２２の表示画面に接触させる操作が利用者によって行われると、ＩＣチップヘッド３０により、携帯端末４０のＩＣチップ４２に対して情報の送信が要求され、この要求に応じてＩＣチップ４２によりメモＩＤ、傾き情報及びメモの貼付を指示する情報がメモリ５４から読み出して送信され(図３のステップ１８４も参照)、これらの情報がＩＣチップヘッド３０によって受信される。文書表示管理装置１８では、表示装置２２の表示画面に携帯端末４０のケーシングが接触されたことが位置検出部２４によって検知されると共に、ＩＣチップヘッド３０によってメモＩＤ、傾き情報及びメモの貼付を指示する情報が携帯端末４０(のＩＣチップ４２)から受信されると、文書表示管理処理(図２)のステップ１０２の判定が肯定されてステップ１１６へ移行し、受信されたメモＩＤ及び傾き情報をＩＣチップヘッド３０から取得する。
【００４５】
次のステップ１１８では、携帯端末４０(のＩＣチップ４２)から受信したメモＩＤをメモ保存サーバ１４へ送信し、当該メモＩＤが付与されたメモの情報をメモ保存サーバ１４へ要求する(図３のステップ１８６も参照)。これにより、メモ保存サーバ１４では文書表示管理装置１８から受信したメモＩＤをキーにして記憶部１４Ａを検索し、当該検索によって抽出されたメモ(貼付対象のメモ)のメモ画像情報を文書表示管理装置１８へ送信する(図３のステップ１８８も参照)。
【００４６】
文書表示管理装置１８では、貼付対象のメモのメモ画像情報をメモ保存サーバ１４から受信するとステップ１２０へ移行し、表示装置２２の表示画面のうち携帯端末４０のケーシングが接触された位置、すなわち利用者から指示されたメモ貼付位置の位置情報(ＸＹ座標)を位置検出部２４から取得する(図３のステップ１９０も参照)。これにより、表示装置２２の表示画面のうち、例えば図５に「貼付指示操作」と表記した破線の矢印が指し示す位置に携帯端末４０のケーシングが接触された場合は、メモ貼付位置の位置情報(ＸＹ座標)として、図５に示す２本の破線が交差する位置のＸＹ座標が取得される。
【００４７】
次のステップ１２２では、表示装置２２の表示画面のうちステップ１２０で取得した位置情報が表すメモ貼付位置に、メモ保存サーバ１４から取得したメモ画像情報が表すメモを、先のステップ１１６で受信された傾き情報に応じた向きで追加表示させる(図３のステップ１９２も参照)。これにより、表示装置２２に表示されている台紙画像に対し、利用者が携帯端末４０を介して入力作成したメモ(本発明に係る付加情報)が、利用者が指示したメモ貼付位置に、利用者がメモ貼付位置を指示した際の携帯端末４０の傾きに応じた向きで貼付されることになる。なお、このステップ１２２は請求項５に記載の表示制御手段に対応している。またステップ１２４では、ステップ１２２に表示装置２２に追加表示させたメモの情報(メモＩＤ、メモ貼付位置の位置情報及び傾き情報)をメモリ２６Ｂ上のメモ付き文書情報記憶領域に追加記憶させ、ステップ１００に戻る(図３のステップ１９４も参照)。
【００４８】
上述したメモの作成及び保存、表示装置２２の表示画面への貼付の各操作は、会議に出席した各利用者により、アイディアが浮ぶ度に各々行われるので、会議の進行に伴い、表示装置２２の表示画面は、当初より表示されていた台紙画像に対し、例として図５に示すように、会議に出席した各利用者が思い付いたアイディアの内容を表すメモが複数貼付された状態となる。そして、上記のようなメモが複数貼付された画像を参照しながら議論を進めることで、各利用者が思い付いたアイディアを各人が共有しながら内容を速やかにまとめていくことが可能となる。
【００４９】
また、議論に一区切りがつき、新たな議題で議論を行うか、会議を終了する場合には、会議に参加した何れかの利用者が携帯端末４０を操作することで、表示装置２２に表示されているメモ付き文書の保存が文書表示管理装置１８に対して指示される(図３のステップ１９６も参照)。なお、メモ付き文書の保存は、議論に一区切りがついた場合のみならず、次の機会に再開することを前提に議論を中断する等の場合にも指示される。文書表示管理装置１８では、上記指示が入力されると文書表示管理処理(図２)のステップ１０４の判定が肯定されてステップ１２６へ移行し、メモリ２６Ｂ上のメモ付き文書情報記憶領域に記憶されている情報(表示装置２２に表示されている個々のメモのメモＩＤ、メモ貼付位置の位置情報及び傾き情報、表示装置２２に台紙画像も表示されている場合は当該台紙画像に対応する台紙文書の文書ＩＤ)を、新たなメモ付き文書の情報として記憶部２６Ｃに登録し(図３のステップ１９８も参照)、ステップ１００に戻る。なお、上記のステップ１２６は、先のステップ１１６〜ステップ１２０,１２４と共に本発明に係る登録手段に対応している。
【００５０】
また、前回の会議で中断した議論を再開したい、或いは、過去の議論をベースとし関連する新たな議題で議論を行いたい等の理由で、過去に行われた会議で作成(形成)されて保存されているメモ付き文書を表示装置２２に再表示させたい場合、利用者は携帯端末４０を介して以下の操作を行うことで再表示対象のメモ付き文書の再表示を指示する。
【００５１】
すなわち、まず、携帯端末４０の記憶部５８にメモ画像情報として保存されているメモをタッチパネル付き表示部６０に表示させ、表示するメモの切り替えを適宜指示することで、自身が再表示対象のメモ付き文書に貼付したメモをタッチパネル付き表示部６０に表示させる。次に、タッチパネル付き表示部６０に表示されている、表示中のメモに対する処理メニューの表示を指示するためのボタン９２(図４(Ｂ)参照)をペン９０によって選択し、この操作に伴ってタッチパネル付き表示部６０に表示される複数の選択肢(図４(Ｃ)参照)のうち「メモ付き文書表示」をペン９０によって選択する。そして、携帯端末４０のケーシングを表示装置２２の表示画面上の任意の位置に近づける(図６のステップ２１０も参照)。
【００５２】
上記のように利用者によって「メモ付き文書表示」が選択された場合、携帯端末４０の制御部５６は、タッチパネル付き表示部６０に表示されているメモ(再表示対象のメモ付き文書に貼付されているメモ)のメモ画像情報と対応付けて記憶されているメモＩＤを記憶部５８から読み出し(図６のステップ２１２も参照)と共に、メモＩＤ及びメモ付き文書の表示を指示する情報をＩＣチップ４２のメモリ５４に送信対象情報として記憶させる。
【００５３】
一方、文書表示管理装置１８では、携帯端末４０のケーシングを表示装置２２の表示画面に近づける操作が利用者によって行われると、ＩＣチップヘッド３０により、携帯端末４０のＩＣチップ４２に対して情報の送信が要求され、この要求に応じてＩＣチップ４２によりメモＩＤ及びメモ付き文書の表示を指示する情報がメモリ５４から読み出されて送信され(図６のステップ２１４も参照)、これらの情報がＩＣチップヘッド３０によって受信される。文書表示管理装置１８では、ＩＣチップヘッド３０によってメモＩＤ及びメモ付き文書の表示を指示する情報が携帯端末４０(のＩＣチップ４２)から受信されると、文書表示管理処理(図２)のステップ１０６の判定が肯定されてステップ１２８へ移行し、受信されたメモＩＤをＩＣチップヘッド３０から取得する。
【００５４】
次のステップ１３０では、携帯端末４０から受信したメモＩＤをキーにして、記憶部２６Ｃに記憶されているメモ付き文書の情報のうち、携帯端末４０から受信したメモＩＤのメモが付加されたメモ付き文書の情報を検索する(図６のステップ２１６も参照)。ステップ１３２では、ステップ１３０の検索によって抽出されたメモ付き文書の情報を参照し、当該情報に含まれる文書ＩＤを抽出することで、表示対象のメモ付き文書における台紙文書の文書ＩＤを認識し、次のステップ１３４では認識した文書ＩＤを文書保存サーバ１２へ送信し、当該文書ＩＤが付与された文書の情報を文書保存サーバ１２に要求する(図６のステップ２１８も参照)。これにより、文書保存サーバ１２では文書表示管理装置１８から受信した文書ＩＤをキーにして記憶部１２Ａを検索し、当該検索によって抽出された文書の情報を文書表示管理装置１８へ送信する(図６のステップ２２０も参照)。
【００５５】
台紙文書の情報を文書保存サーバ１２から受信するとステップ１３６へ移行し、ステップ１３０の検索によって抽出されたメモ付き文書の情報を参照し、当該情報に含まれるメモＩＤを全て抽出することで、表示対象のメモ付き文書に貼付されている全てのメモのメモＩＤを認識する(図６のステップ２２２も参照)。次のステップ１３８では認識したメモＩＤをメモ保存サーバ１４へ各々送信し、個々のメモＩＤに対応する全てのメモの情報をメモ保存サーバ１４に要求する(図６のステップ２２４も参照)。これにより、メモ保存サーバ１４では文書表示管理装置１８から受信した個々のメモＩＤをキーにして記憶部１４Ａを各々検索し、各回の検索によって抽出されたメモの情報を文書表示管理装置１８へ各々送信する(図６のステップ２２６も参照)。なお、上述したステップ１２８〜ステップ１３８は、台紙文書の情報を実際に読み出す文書保存サーバ１２及びメモの情報を実際に読み出すメモ保存サーバ１４と共に、本発明に係る読出手段に対応している。
【００５６】
表示対象のメモ付き文書に貼付されている全てのメモの情報をメモ保存サーバ１４から受信するとステップ１４０へ移行し、まず文書保存サーバ１２から受信した情報に基づき台紙文書の内容を画像として展開した後に、メモ保存サーバ１４から受信した特定のメモの情報に含まれるメモ画像情報が表すメモ画像を、ステップ１３０の検索によって抽出されたメモ付き文書の情報に含まれる特定のメモの位置情報が表す位置に、前記メモ付き文書の情報に含まれる特定のメモの傾き情報が表す向きで展開することを、メモ保存サーバ１４から受信した全てのメモの情報について各々行うことで、表示対象のメモ付き文書を表す画像を生成する。そしてステップ１４２では、ステップ１４０で生成したメモ付き文書の画像を表示装置２２に表示させ(図６のステップ２２６も参照)、ステップ１００へ戻る。なお、ステップ１４０,１４２は本発明に係る出力手段に対応している。
【００５７】
このように、本実施形態では、所望のメモ付き文書を再表示させるにあたり、再表示を所望しているメモ付き文書に貼付されている何れかのメモ(のメモＩＤ)を指定すれば、表示対象のメモ付き文書が特定されて再表示されるので、所望のメモ付き文書を再表示させる際の操作性が向上する。なお、本実施形態では単一のメモを複数の台紙画像に各々貼付することも可能であるので、上述したメモ付き文書の再表示において、携帯端末４０から受信したメモＩＤのメモが貼付されたメモ付き文書が複数存在していることも生じ得るが、この場合は利用者に通知すると共に、該当する複数のメモ付き文書のうちの何れかを表示装置２２に表示させ、表示装置２２に表示させるメモ付き文書を利用者からの指示に従って順に切り替えることが好ましい。
【００５８】
また、過去に作成(形成)されて保存されている特定のメモ付き文書に貼付されているメモを携帯端末４０にダウンロードして閲覧したい場合、利用者は携帯端末４０を介して以下の操作を行うことでメモのダウンロードを指示する。
【００５９】
すなわち、まず、携帯端末４０の記憶部５８にメモ画像情報として保存されているメモをタッチパネル付き表示部６０に表示させ、表示するメモの切り替えを適宜指示することで、自身がダウンロード対象のメモ付き文書に貼付したメモをタッチパネル付き表示部６０に表示させる。次に、タッチパネル付き表示部６０に表示されている、表示中のメモに対する処理メニューの表示を指示するためのボタン９２(図４(Ｂ)参照)をペン９０によって選択し、この操作に伴ってタッチパネル付き表示部６０に表示される複数の選択肢(図４(Ｃ)参照)のうち「関連メモダウンロード」をペン９０によって選択する。そして、携帯端末４０のケーシングを表示装置２２の表示画面上の任意の位置に近づける(図７のステップ２３０も参照)。
【００６０】
上記のように、利用者によって「関連メモダウンロード」が選択された場合、携帯端末４０の制御部５６は、タッチパネル付き表示部６０に表示されているメモ(ダウンロード対象のメモと同一のメモ付き文書に貼付されているメモ)のメモ画像情報と対応付けて記憶されているメモＩＤを記憶部５８から読み出し(図７のステップ２３２も参照)と共に、メモＩＤ及び関連メモのダウンロードを指示する情報をＩＣチップ４２のメモリ５４に送信対象情報として記憶させる。
【００６１】
一方、文書表示管理装置１８では、携帯端末４０のケーシングを表示装置２２の表示画面に近づける操作が利用者によって行われると、ＩＣチップヘッド３０により、携帯端末４０のＩＣチップ４２に対して情報の送信が要求され、この要求に応じてＩＣチップ４２によりメモＩＤ及び関連メモのダウンロードを指示する情報がメモリ５４から読み出されて送信され(図７のステップ２３４も参照)、これらの情報がＩＣチップヘッド３０によって受信される。文書表示管理装置１８では、ＩＣチップヘッド３０によってメモＩＤ及び関連メモのダウンロードを指示する情報が携帯端末４０(のＩＣチップ４２)から受信されると、文書表示管理処理(図２)のステップ１０８の判定が肯定されてステップ１４４へ移行し、受信されたメモＩＤをＩＣチップヘッド３０から取得する。
【００６２】
次のステップ１４６では、携帯端末４０から受信したメモＩＤをキーにして、記憶部２６Ｃに記憶されているメモ付き文書の情報のうち、携帯端末４０から受信したメモＩＤのメモが付加されたメモ付き文書の情報を検索する(図７のステップ２３６も参照)。ステップ１４８では、ステップ１４６の検索によって抽出されたメモ付き文書の情報を参照し、当該情報に含まれるメモＩＤを全て抽出することで、受信したメモＩＤと同一のメモ付き文書に貼付されている全てのメモのメモＩＤを認識する(図７のステップ２３８も参照)。次のステップ１５０では認識したメモＩＤをメモ保存サーバ１４へ各々送信し、個々のメモＩＤに対応する全てのメモの情報をメモ保存サーバ１４に要求する(図７のステップ２４０も参照)。これにより、メモ保存サーバ１４では文書表示管理装置１８から受信した個々のメモＩＤをキーにして記憶部１４Ａを各々検索し、各回の検索によって抽出されたメモの情報を文書表示管理装置１８へ各々送信する(図７のステップ２４２も参照)。
【００６３】
受信したメモＩＤと同一のメモ付き文書に貼付されている全てのメモの情報をメモ保存サーバ１４から受信するとステップ１５２へ移行し、メモ保存サーバ１４から受信した個々のメモの情報(メモＩＤ、メモ画像情報)に、ステップ１４６の検索で抽出されたメモ付き文書の情報に含まれる個々のメモの位置情報を各々付加し、ダウンロード指示元の携帯端末４０へインターネット８４経由で送信して(図７のステップ２４４も参照)、ステップ１００へ戻る。なお、メモ保存サーバ１４から情報を受信したメモのうち、受信した情報に含まれるメモの作成者がダウンロード指示元の携帯端末４０を識別する情報から判別できる作成者と一致しているメモについては、ダウンロード指示元の携帯端末４０に保存されている可能性が高いので、ステップ１５２におけるダウンロード指示元の携帯端末４０への送信対象から除外するようにしてもよいし、後述のように位置情報を用いて各メモの閲覧が行われる場合は、メモＩＤと位置情報のみ送信するようにしてもよい。
【００６４】
上記のようにして文書表示管理装置１８から送信されたメモの情報が、利用者の指示によってダウンロードされて記憶部５８に保存された携帯端末４０では、メモ閲覧用のアプリケーションが起動され、このメモ閲覧用のアプリケーションにより、例として図４(Ｄ)に示すように、表示対象のメモを切り替えるためのスクロールマーク９３が表示された関連メモ表示画面がタッチパネル付き表示部６０に表示され、ダウンロードされたメモの画像はこの関連メモ表示画面に表示される(図７のステップ２４６も参照)。
【００６５】
メモ閲覧用のアプリケーションは、特定のメモを関連メモ表示画面に表示させるにあたり、特定のメモの位置情報を他のメモの位置情報と比較することで、特定のメモが貼付されたメモ付き文書上で他のメモが存在する方向を判断し、特定のメモの画像を表示させた関連メモ表示画面に、他のメモが存在する方向に対応するスクロールマーク９３のみを表示させる(図４(Ｄ)に示す例では、互いに異なる８方向へのスクロールを指示するための８個のスクロールマーク９３が示されているが、実際には他のマークが存在する方向に対応するスクロールマーク９３のみが表示される)。 そしてメモ閲覧用のアプリケーションは、関連メモ表示画面に表示しているスクロールマーク９３のうちの何れかのスクロールマーク９３が選択されると、現在表示しているメモに対し、メモ付き文書上で、選択されたスクロールマーク９３に対応する方向に位置するメモを選択し、選択したメモを関連メモ表示画面に表示させる。これにより、同一のメモ付き文書に貼付されている各メモを、前記メモ付き文書上での各メモの位置関係を把握しながら閲覧することができる。
【００６６】
なお、上記ではメモＩＤの生成を携帯端末４０で行う態様を説明したが、これに限定されるものではなく、メモＩＤの生成は会議支援システム１０側(例えばメモ保存サーバ１４)で行い、生成したメモＩＤを携帯端末４０へ通知するようにしてもよい。
【００６７】
また、上記では携帯端末４０上で入力・作成されたメモの情報を、表示装置２２の表示画面への貼付が指示される前にメモ保存サーバ１４へ保存しておく態様を説明したが、これに限定されるものではなく、表示装置２２の表示画面への貼付が指示される際に、携帯端末４０から会議支援システム１０側へ、例えばＩＣチップヘッド３０とＩＣチップ４２の無線通信等により、メモ画像情報の転送も行われるようにしてもよい。
【００６８】
また、メモ付き文書の情報のうち、台紙文書の情報本体は文書保存サーバ１２に、台紙文書に貼付された各メモの情報本体(メモ画像情報)はメモ保存サーバ１４に分散記憶させる態様を説明したが、これに限られるものではなく、メモ付き文書の保存が指示された場合に、台紙文書の情報本体及びメモ画像情報を含むメモ付き文書の情報全体を文書表示管理装置１８の記憶部２６Ｃに記憶させるようにしてもよい。
【００６９】
更に、上記では過去に作成(形成)されて保存されているメモ付き文書が呼び出された場合に、表示装置２２への再表示を行う態様を説明したが、本発明に係る出力手段による画像出力はこれに限定されるものではなく、例えば紙媒体への印刷等を行うようにしてもよい。
【００７０】
また、本発明に係る付加情報は、携帯端末４０上で入力・作成されたメモに限られるものではなく、例えば撮影機能を有する携帯端末４０で撮影されて保存されている写真画像や、携帯端末４０に予め登録されている各種のマーク等であってもよい。
【００７１】
また、上記では複数人でアイディアを出し合いながら共同作業で検討を進める会議の支援に本発明を適用した態様を説明したが、これに限定されるものではなく、本発明を逸脱しない範囲内で他の用途にも適用可能であることは言うまでもない。
【００７２】
また、上記では本発明に係る画像管理プログラムに対応する文書表示管理プログラムが文書表示管理装置１８の制御部２６の記憶部２６Ｃに予め記憶(インストール)されている態様を説明したが、本発明に係る画像管理プログラムは、ＣＤ−ＲＯＭやＤＶＤ−ＲＯＭ等の記録媒体に記録されている形態で提供することも可能である。
【符号の説明】
【００７３】
１０  会議支援システム
１２  文書保存サーバ
１４  メモ保存サーバ
１８  文書表示管理装置
２２  表示装置
２４  位置検出部
２６  制御部
２６Ｃ  記憶部
３０  ＩＣチップヘッド
４０  携帯端末
４２  ＩＣチップ
５６  制御部
５８  記憶部
６０  タッチパネル付き表示部
９０  ペン
【図１】
2010205137.tif 000003
【図２】
2010205137.tif 000004
【図３】
2010205137.tif 000005
【図４】
2010205137.tif 000006
【図６】
2010205137.tif 000007
【図７】
2010205137.tif 000008
【図５】
2010205137.tif 000009